(57)【要約】【課題】画像データをファクシミリ受信したときに、解像度変換すべき画像データの種類に応じて、適切な解像度変換方法を選択できる画像通信装置を提供する。【解決手段】画像データの解像度を判別する解像度判別手段１と、第１、第２の画像処理手段１４Ａ，１４Ｂと、第１、第２の画像処理手段１４Ａ，１４Ｂで処理された画像を印字出力する手段と、画像データを印字出力手段１４Ｅで印字出力する際に、解像度判別手段１の判別結果によって、画像データを、第１、第２いずれの画像処理手段１４Ａ，１４Ｂで処理するかを選択する制御手段とを備える。【選択図】図１
2004032418.tif 000002
【特許請求の範囲】
【請求項１】
画像データの解像度を判別する解像度判別手段と、第１、第２の画像処理手段と、上記第１、第２の画像処理手段で処理された画像を印字出力する手段と、上記画像データを上記印字出力手段で印字出力する際に、上記解像度判別手段の判別結果によって、上記画像データを、上記第１、第２いずれの画像処理手段で処理するかを選択する制御手段とを備える画像通信装置。
【請求項２】
請求項１において、
上記第１の画像処理手段は、上記画像データの解像度変換処理とスムージング処理とを行う一方、上記第２の画像処理手段は、上記画像データの多値画像データに変換し、その多値画像データを解像度変換し、２値画像データとする処理を行う画像通信装置。
【請求項３】
請求項１または請求項２において、
上記解像度判別手段は、画像データの受信前に受信するファクシミリ通信手順信号のうち、解像度情報を記憶する記憶手段を備えており、その記憶手段から読み出した解像度情報によって、上記画像データの解像度を判別する画像通信装置。
【発明の詳細な説明】
【０００１】
【発明の属する技術分野】
本発明は、ファクシミリ装置などの画像通信装置の改良に関する。
【０００２】
【従来の技術】
従来より、ファクシミリ装置などの画像通信装置が広く使用されているが、プリンタの解像度が年々高くなってきている。一方、それに応じるため、勧告上は、ファクシミリ通信の解像度も高くすることが要求されている。
【０００３】
すなわち、プリンタの解像度が、６００ｄｐｉ、１２００ｄｐｉとなってきているのに応じるため、ファクシミリ通信の解像度を、最も解像度の高いハイパーファインでは、１６ｄｏｔ／ｍｍ×１５．４ｌｉｎｅ／ｍｍとしている。
【０００４】
そこで、ファクシミリ受信したデータについては、プリンタの解像度に合うように、プリント前に受信データの解像度を変換して高くしてからプリントするようにしている。
【０００５】
【発明が解決しようとする課題】
しかしながら、変換すべき画像データが２値データの場合には、そのまま解像度を変換してスムージング処理をするが、疑似中間調の場合にはこのような処理をすると画質が低下してしまう。
【０００６】
疑似中間調の場合には、２値データの処理とは異なり、一旦多値データに変換してから解像度変換をし２値データに戻す処理を要する。
【０００７】
従来は、解像度変換処理としては、上記いずれかの処理機能しか備えておらず、変換すべき画像データの種類によって、適切な解像度変換をすることができなかった。
【０００８】
そこで、本発明では、上記いずれの処理機能も備えており、画像データをファクシミリ受信したときに、解像度変換すべき画像データの種類に応じて、適切な解像度変換方法を選択できる画像通信装置を提供することを目的としている。
【０００９】
【課題を解決するための手段】
上記目的を達成するために、本発明の請求項１に記載の画像通信装置では、画像データの解像度を判別する解像度判別手段と、第１、第２の画像処理手段と、第１、第２の画像処理手段で処理された画像を印字出力する手段と、画像データを印字出力手段で印字出力する際に、解像度判別手段の判別結果によって、画像データを、第１、第２いずれの画像処理手段で処理するかを選択する制御手段とを備える。
【００１０】
請求項２に記載の画像通信装置では、第１の画像処理手段は、画像データの解像度変換処理とスムージング処理とを行う一方、第２の画像処理手段は、画像データの多値画像データに変換し、その多値画像データを解像度変換し、２値画像データとする処理を行う。
【００１１】
請求項３に記載の画像通信装置では、解像度判別手段は、画像データの受信前に受信するファクシミリ通信手順信号のうち、解像度情報を記憶する記憶手段を備えており、その記憶手段から読み出した解像度情報によって、画像データの解像度を判別する。
【００１２】
【発明の実施の形態】
以下に、本発明の実施の形態について、図面とともに説明する。
【００１３】
図１は、本発明の通信装置の要部構成の一例を示す図である。なお、ここでは、通信装置としてファクシミリ装置Ｆの構成を示しているが、本発明はこの例に限られず、各種機能を実行でき、インターネットなどの通信ネットワークに接続可能な装置であれば何を用いてもよい。
【００１４】
このファクシミリ装置Ｆは、このファクシミリ装置Ｆを制御するＭＰＵ１と、電話回線に対する接続制御をするＮＣＵ２と、ファクシミリ通信に必要な各種信号の変復調をするモデム３と、画像データを読み取り形成するスキャナ４と、ファクシミリ通信をする際に、画像データの符号化、復号をする通信用コーデック５と、各種キーなどで構成されるキーパッド７と、液晶画面などで構成される表示部６と、通信ネットワークの１つであるＬＡＮに接続するためのＬＡＮインタフェース８と、このファクシミリ装置Ｆが動作するのに必要な各種プログラムなどを記録するＲＯＭ９と、後述する管理テーブル１０Ａを有し、短縮ダイヤルなどを記憶するＲＡＭ１０と、画像データを一時格納する画像メモリ１１と、画像データの印字出力時に、その画像データの符号化、復号をするプリント用コーデック１２と、画像メモリ１１、ページメモリ１６の管理をするメモリ管理部１３と、プリント用画像処理回路１４と、プリンタ機構を制御するプリンタ機構制御部１５とを備える。
【００１５】
プリント用画像処理回路１４は、解像度変換スムージング回路１４Ａ、多値解像度変換再２値化回路１４Ｂ、セレクタ１４Ｃ、レジスタ１４Ｄ、ＬＥＤプリントヘッド１４Ｅを備える。
【００１６】
解像度変換スムージング回路１４Ａは、２値データをそのまま解像度を変換してスムージング処理をする一方、多値解像度変換再２値化回路１４Ｂは、解像度変換スムージング回路１４Ａとは異なり、２値データを一旦多値データに変換してから、線形補間を伴う解像度変換をし、その後、誤差拡散法（又はディザ法）によって２値データに戻す処理をする。
【００１７】
セレクタ１４Ｃは、ＭＰＵ１によって判別された画像データの解像度に応じて、画像データの解像度変換をする手段を、解像度変換スムージング回路１４Ａ、多値解像度変換再２値化回路１４Ｂのいずれによって行うかを選択する。
【００１８】
レジスタ１４Ｄには、ＭＰＵ１によって判別された画像データの解像度を記憶させる。
【００１９】
このような構成において、本発明は以下の処理をすることを特徴としている。これについて、図２、３のそれぞれのフローチャートとともに説明する。
【００２０】
図２は、受信画像データの解像度変換処理を示すフローチャートである。このものは、ファクシミリ受信があり、プリントジョブを開始したときには（１００）、ページメモリ１６に空き容量があるかを確認する（１０１）。
【００２１】
画像データがファクシミリ受信される際には、その前段階のファクシミリ通信によって、当該画像データの解像度データが受信されるため、これを管理メモリ１０Ａに格納しておく。また、受信した画像データは、符号化された状態で画像メモリ１１に格納されている。
【００２２】
ファクシミリ装置Ｆは、この管理メモリ１０Ａに格納された解像度データを読み出し（１０２）、その解像度データを、プリント用コーデック５、プリント用画像処理回路１４のレジスタ１４Ｄに設定する（１０３）。
【００２３】
そして、プリント用コーデック５を起動させ、設定された解像度によって、画像メモリに格納された画像データを復号し（１０４）、ページ毎にページメモリ１６に格納するという処理を、当該ジョブにつき全ページ分行う（１０５，１０６）。
【００２４】
ついで、このような処理を得てページメモリ１６に格納された受信データは、図３のようにして解像度変換される。
【００２５】
すなわち、ファクシミリ装置Ｆは、画像メモリ１１の画像データを１ページ毎にプリント用画像処理回路１４に転送するが、そのとき、レジスタ１４Ｄに格納された解像度データを判別した結果、ノーマルの画像データであれば（２００）、セレクタ１４Ｄは、解像度変換手段として、解像度変換スムージング回路１４Ａを選択し（２０１）、ファイン以上であれば、多値解像度変換再２値化回路１４Ｂを選択する（２０２）。
【００２６】
このように、解像度がノーマルであれば解像度変換スムージング回路１４Ａを選択し、解像度がファインであれば多値解像度変換再２値化回路１４Ｂを選択する理由は以下の通りである。
【００２７】
すなわち、通常では、低い解像度で疑似中間調画像が送信されてくることは少ない。低い解像度で疑似中間調処理しても画質が悪いためである。
【００２８】
そこで、高い解像度で送られてきた画像データは疑似中間調データである可能性が高く、低い解像度で送られてきた画像データは２値データである可能性が高いためである。
【００２９】
そして、ファクシミリ装置Ｆは、画像メモリ１１より画像データを読み出し、回路１４Ａ，１４Ｂのうち選択したいずれかの回路によって解像度変換処理をする（２０３）。
【００３０】
このとき、転送クロック信号が出力されていれば（２０４）、解像度変換処理をした１ライン分の画像データをそのクロック信号に同期してＬＥＤプリントヘッド１４Ｅに出力し（２０５）、印字出力させる。これを全ページにわたって繰り返し印字出力する（２０６）。
【００３１】
【発明の効果】
以上説明したように、本発明の請求項１に記載の画像通信装置では、受信画像データを印字出力手段で印字出力する際に、解像度判別手段の判別結果によって、画像データを、第１、第２いずれの画像処理手段で処理するかを選択するので、画像データをファクシミリ受信したときに、解像度変換すべき画像データの種類に応じて、適切な解像度変換方法を選択でき、利便である。
【００３２】
請求項２に記載の画像通信装置では、第１の画像処理手段は、画像データの解像度変換処理とスムージング処理とを行う一方、第２の画像処理手段は、画像データの多値画像データに変換し、その多値画像データを解像度変換し、２値画像データとする処理を行うので、受信画像データの種類、すなわち、２値画像データか疑似中間調画像かによって、適切な方法によって解像度変換をすることができる。
【００３３】
請求項３に記載の画像通信装置では、解像度判別手段は、画像データの受信前に受信するファクシミリ通信手順信号のうち、解像度情報を記憶する記憶手段を備えており、その記憶手段から読み出した解像度情報によって、画像データの解像度を判別するので、簡易な手法で、受信画像データの解像度を判別できる。
【図面の簡単な説明】
【図１】本発明の画像通信装置の要部構成の一例を示す図である。
【図２】画像通信装置の動作について説明するためのフローチャートである。
【図３】画像通信装置の動作について説明するためのフローチャートである。
【符号の説明】
Ｆ・・・ファクシミリ装置
１・・・ＭＰＵ
１０Ａ・・・管理テーブル
１４Ａ・・・解像度変換スムージング回路
１４Ｂ・・・多値解像度変換再２値化回路
１４Ｃ・・・セレクタ
１４Ｅ・・・ＬＥＤプリントヘッド
【図１】
2004032418.tif 000003
【図２】
2004032418.tif 000004
【図３】
2004032418.tif 000005